(57)【要約】【課題】スピーカが発する音をさらに高音質にすることができるスピーカを提供する。【解決手段】エンクロージャ６は、一対の側板１と、底板２と、天板３と、後板４と、バッフル５とを箱状に組み立てたものである。スピーカユニット７はバッフル５の開口部５ａに装着されている。響板８は、底板２上に装着され、振動板７ａの振動方向に繊維方向を有する部材８ａと、後板４側からバッフル５側に向かうに従って手前側の側板１に近付く方向に繊維方向を有する部材８ｂと、後板４側からバッフル５側に向かうに従って奥側の側板１に近付く方向に繊維方向を有する部材３ｃとを含む。【選択図】図１
2010093773.tif 000002
【特許請求の範囲】
【請求項１】
第１及び第２の側板と、底板と、天板と、後板と、開口部を設けたバッフルとを箱状に組み立てたエンクロージャと、
振動板を前記バッフルの外面に向けて前記開口部に装着したスピーカユニットと、
前記底板上または前記天板の内面に装着され、前記後板側から前記バッフル側に向かうに従って前記第１または第２の側板の一方の側板に近付く方向に繊維方向を有する第１の部材を含む響板と
を備えることを特徴とするスピーカ。
【請求項２】
前記響板は、さらに、前記振動板の振動方向に繊維方向を有する第２の部材を含むことを特徴とする請求項１記載のスピーカ。
【請求項３】
前記響板は、さらに、前記後板側から前記バッフル側に向かうに従って前記第１または第２の側板の他方の側板に近付く方向に繊維方向を有する第３の部材を含むことを特徴とする請求項２記載のスピーカ。
【請求項４】
前記第２の部材は前記底板または前記天板の幅方向の略中央に配置され、前記第１及び第３の部材は、前記第２の部材を挟むように配置されていることを特徴とする請求項３記載のスピーカ。
【請求項５】
前記響板は、さらに、前記第１〜第３の部材上に装着され、前記後板側から前記バッフル側に向かうに従って前記第１の側板に近付く方向に繊維方向を有する第４の部材と、前記後板側から前記バッフル側に向かうに従って前記第２の側板に近付く方向に繊維方向を有する第５の部材とを含むことを特徴とする請求項３または４に記載のスピーカ。
【請求項６】
前記第４及び第５の部材の長さは前記第１〜第３の部材の長さより短いことを特徴とする請求項５記載のスピーカ。
【請求項７】
前記第４及び第５の部材は、前記第１〜第３の部材の前記後板側の端部と記バッフル側の端部とを空けた前記第１〜第３の部材の長手方向の中間部に装着されていることを特徴とする請求項６に記載のスピーカ。
【請求項８】
前記底板または前記天板は無垢材より切り出した木板により形成され、前記底板または前記天板は前記振動板の振動方向と交差する方向を木目方向としていることを特徴とする請求項１ないし７のいずれか１項に記載のスピーカ。
【請求項９】
前記響板は、竹の集成材により形成されていることを特徴とする請求項１ないし８のいずれか１項に記載のスピーカ。
【請求項１０】
前記後板に取り付けられた端子板と、前記後板に取り付けられたバスレフ用のダクトとを備え、
前記端子板を前記後板の下側に、前記ダクトを前記後板の上側に配置していることを特徴とする請求項１ないし９のいずれか１項に記載のスピーカ。
【発明の詳細な説明】
【技術分野】
【０００１】
本発明は、エンクロージャ内部の構造を改良することによって音質を改善したスピーカに関する。
【背景技術】
【０００２】
スピーカは、一対の側板と底板と天板と後板とバッフルとを箱状に組み立てたエンクロージャと、バッフルに設けた開口部に装着したスピーカユニットとを備える。エンクロージャの各板は例えば木板により形成される。エンクロージャは特許文献１に記載のようにスピーカキャビネットと称されることもある。
【０００３】
スピーカが発する音は、スピーカユニットの振動板自体が発する音と、振動板の振動に伴ってエンクロージャのいずれかの板が振動することによって発する音とを合わせたものである。従来から、スピーカの音質を改善するための改良、即ち、スピーカが発する音の解像度を向上させたり、音場豊かに音を再生させたりするための改良が種々行われている。その改良の一例として、振動板を木製とすることが挙げられる。木製振動板は例えば特許文献２に記載されている。
【先行技術文献】
【特許文献】
【０００４】
【特許文献１】特開２００１−５４１８２号公報
【特許文献２】特開平１０−３０４４９２号公報
【発明の概要】
【発明が解決しようとする課題】
【０００５】
特許文献２に記載のような木製振動板は、スピーカユニットの振動板自体が発する音を改善して、高音質な音を再生することができるスピーカを提供することに大きく寄与する。しかしながら、スピーカのさらなる音質向上を目指すには、振動板自体が発する音の改善のみでは不十分であり、エンクロージャが発する音を改善することが必要である。
【０００６】
本発明はこのような事情に鑑み、エンクロージャ内部の構造を改良することによってエンクロージャが発する音を改善し、スピーカが発する音をさらに高音質にすることができるスピーカを提供することを目的とする。
【課題を解決するための手段】
【０００７】
本発明は、上述した従来の技術の課題を解決するため、第１及び第２の側板（１）と、底板（２）と、天板（３）と、後板（４）と、開口部（５ａ）を設けたバッフル（５）とを箱状に組み立てたエンクロージャ（６）と、振動板（７ａ）を前記バッフルの外面に向けて前記開口部に装着したスピーカユニット（７）と、前記底板上または前記天板の内面に装着され、前記後板側から前記バッフル側に向かうに従って前記第１または第２の側板の一方の側板に近付く方向に繊維方向を有する第１の部材（８ｂ，８ｃ）を含む響板とを備えることを特徴とするスピーカ（１００，１００Ｌ，１００Ｒ）を提供する。
前記響板は、さらに、前記振動板の振動方向に繊維方向を有する第２の部材（８ａ）を含むことが好ましい。
前記響板は、さらに、前記後板側から前記バッフル側に向かうに従って前記第１または第２の側板の他方の側板に近付く方向に繊維方向を有する第３の部材（８ｂ，８ｃ）を含むことが好ましい。
前記第２の部材は前記底板または前記天板の幅方向の略中央に配置され、前記第１及び第３の部材は、前記第２の部材を挟むように配置されていることが好ましい。
前記響板は、さらに、前記第１〜第３の部材上に装着され、前記後板側から前記バッフル側に向かうに従って前記第１の側板に近付く方向に繊維方向を有する第４の部材（８ｄ）と、前記後板側から前記バッフル側に向かうに従って前記第２の側板に近付く方向に繊維方向を有する第５の部材（８ｅ）とを含むことが好ましい。
前記第４及び第５の部材の長さは前記第１〜第３の部材の長さより短いことが好ましい。
前記第４及び第５の部材は、前記第１〜第３の部材の前記後板側の端部と記バッフル側の端部とを空けた前記第１〜第３の部材の長手方向の中間部に装着されていることが好ましい。
前記底板または前記天板は無垢材より切り出した木板により形成され、前記底板または前記天板は前記振動板の振動方向と交差する方向を木目方向としていることが好ましい。
前記響板は、竹の集成材により形成されていることが好ましい。
前記後板に取り付けられた端子板（１０）と、前記後板に取り付けられたバスレフ用のダクト（１１）とを備え、前記端子板を前記後板の下側に、前記ダクトを前記後板の上側に配置していることが好ましい。
【発明の効果】
【０００８】
本発明のスピーカによれば、エンクロージャが発する音を改善することができ、スピーカが発する音をさらに高音質にすることができる。
【図面の簡単な説明】
【０００９】
【図１】本発明の一実施形態を示す破断斜視図である。
【図２】一実施形態の外観斜視図である。
【図３】一実施形態における部分断面図である。
【図４】一実施形態で用いる竹の集成材を示す斜視図である。
【図５】一実施形態で用いる響板の元となる集成材を示す平面図である。
【図６】一実施形態で用いる響板を示す平面図である。
【図７】本発明の他の実施形態を示す平面図である。
【図８】音響シミュレーションモデルを説明するための図である。
【図９】比較例の周波数２５０Ｈｚにおける解析結果を示す図である。
【図１０】一実施形態の周波数２５０Ｈｚにおける解析結果を示す図である。
【図１１】比較例の周波数９５０Ｈｚにおける解析結果を示す図である。
【図１２】一実施形態の周波数９５０Ｈｚにおける解析結果を示す図である。
【図１３】比較例の周波数２５００Ｈｚにおける解析結果を示す図である。
【図１４】一実施形態の周波数２５００Ｈｚにおける解析結果を示す図である。
【発明を実施するための形態】
【００１０】
以下、本発明のスピーカについて、添付図面を参照して説明する。図１は本発明のスピーカの一実施形態を示す破断斜視図、図２は一実施形態の外観斜視図である。図１，図２に示すように、一実施形態のスピーカ１００は、一対の側板１，１と、底板２と、天板３と、後板４と、前板であるバッフル５とを箱状に組み立てたエンクロージャ６を備える。バッフル５には円形の開口部５ａが形成されており、開口部５ａには、スピーカユニット７が振動板７ａを外側に向けた状態で装着されている。振動板７ａとしては木製振動板（いわゆるウッドコーン）を用いることが好ましい。なお、図１は、図面手前側の側板１と天板３と後板４とバッフル５をそれぞれ一部切断して、エンクロージャ６の内部が見えるようにしたカットモデルを示している。
【００１１】
エンクロージャ６の側板１，底板２，天板３，後板４，バッフル５はそれぞれ、無垢の木材（無垢材）から切り出した木板であることが好ましい。後板４は無垢材から切り出した木板の代わりに合板としてもよい。それぞれの板を木板とした場合、図２に示すように、側板１の繊維方向（木目方向）Ｄｆ１と後板４の繊維方向Ｄｆ４とバッフル５の繊維方向Ｄｆ５はスピーカ１００を通常に設置した状態の上下方向、底板２の繊維方向Ｄｆ２及び天板３の繊維方向Ｄｆ３は左右方向とすることが好ましい。繊維方向Ｄｆ２，Ｄｆ３は、スピーカユニット７の振動板７ａが音を発する方向（振動板７ａの振動方向）と交差する方向である。なお、それぞれの板の繊維方向Ｄｆ１〜Ｄｆ５のヤング率は８．３ＧＰａ程度であり、繊維方向Ｄｆ１〜Ｄｆ５と直交する方向のヤング率は０．６ＧＰａ程度である。
【００１２】
図１に示すように、エンクロージャ６の内部、底板２上には、底板２を補強すると共に、エンクロージャ６が発する音質を改善するための響板８が装着されている。響板８は底板２を補強する補強部材または音質を改善するための音質改善部材と称することもできる。響板８は、好ましい構成例として、下側の部材８ａ，８ｂ，８ｃと上側の部材８ｄ，８ｅの計５つの部材を接着剤等で貼り合わせたものである。響板８は底板２に接着剤等で貼り付けられている。図３は、部材８ｂと部材８ｄとが重なった部分で底板２と響板８とを響板８の長手方向に切断した断面図である。ここでは、５つの部材８ａ〜８ｅで響板８を構成しているが、下側の部材８ａ〜８ｃのみとしてもよい。但し、響板８を上下２層で形成する方が音質改善の効果が大きいので、図１，図３に示すように上下２層で形成することが好ましい。
【００１３】
響板８の各部材８ａ〜８ｅは異方性材料により形成されている。好適な材料としては木または竹である。木よりも竹の方が音質改善の効果が大きいので、各部材８ａ〜８ｅとして竹を用いることが好ましい。各部材８ａ〜８ｅとして竹を用いた場合、響板８は竹響板である。以下、本実施形態においては、各部材８ａ〜８ｅとして竹を用いた場合について説明する。響板８のさらに具体的な構成については後に詳述する。
【００１４】
スピーカユニット７から引き出されたプラス側及びマイナス側のケーブル９ａ，９ｂは、後板４に設けた端子板１０の内面側に設けられたプラス側及びマイナス側の端子に接続されている。図示していないアンプから引き出されたスピーカケーブルは、端子板１０の外面側に設けられたプラス側及びマイナス側の端子に接続される。エンクロージャ６の上方には、天板３の内面に接触しない程度の高さに、バスレフ用のダクト１１が取り付けられている。ダクト１１は、後板４に設けた開口とダクト１１の一方の開口端とを対向させた状態で後板４に接着剤等で固着されている。ダクト１１の他方の開口端は、スピーカユニット７の近傍に位置している。ダクト１１を設けることによって低音が増強される。本実施形態では底板２に響板８を装着しているので、端子板１０を下側にダクト１１を上側に設けることが好ましい。
【００１５】
ここで、図４〜図６を用いて響板８の構成の詳細について説明する。図４に示すように、響板８の各部材８ａ〜８ｅは複数の竹片８１を複数列及び複数層集成した竹の集成材により形成される。図５（Ａ）は部材８ａの元となる集成材８Ａ、図５（Ｂ）は部材８ｂ，８ｃの元となる集成材８ＢＣ、図５（Ｃ）は部材８ｄ，８ｅの元となる集成材８ＤＥを示している。集成材８Ａ，８ＢＣ，８ＤＥはそれぞれ矢印で示す方向の繊維方向Ｄｆを有している。集成材８Ａ，８ＢＣ，８ＤＥの各寸法は一例として次の通りである。集成材８Ａは幅１２ｍｍ、長さ１７５ｍｍ、集成材８ＢＣは幅４７ｍｍ、長さ１７５ｍｍ、集成材８ＤＥは幅５３ｍｍ、長さ１３５ｍｍ、集成材８Ａ，８ＢＣ，８ＤＥの厚さは１５ｍｍである。竹片８１を何列集成するかは集成材８Ａ，８ＢＣ，８ＤＥの幅によって異なる。
【００１６】
図５（Ａ）の集成材８Ａはそのまま響板８の部材８ａとなる。図５（Ｂ）の集成材８ＢＣを切断線Ｌｃで切断すると、響板８の部材８ｂ，８ｃとなる。図５（Ｃ）の集成材８ＤＥを切断線Ｌｃで切断すると、響板８の部材８ｄ，８ｅとなる。そして、図６（Ａ）に示すように、部材８ｂ，８ｃの切断線Ｌｃ側の辺を部材８ａの側辺に対向させて部材８ａ，８ｂ，８ｃを互いに接着すると、響板８の下側層の部材となる。このようにすると、部材８ｂ，８ｃの繊維方向Ｄｆ8b，Ｄｆ8cは図６（Ａ）の上側から下側に向かうに従って外側に広がることとなる。
【００１７】
また、図６（Ｂ）に示すように、部材８ｄ，８ｅの切断線Ｌｃ側の辺を対向させると、響板８の上側層の部材となる。このようにすると、部材８ｄ，８ｅの繊維方向Ｄｆ8d，Ｄｆ8eは図６（Ｂ）の上側から下側に向かうに従って外側に広がることとなる。なお、図６（Ｂ）では、切断線Ｌｃ側の辺の全ての部分を接触させておらず、幅狭の上側部分を接触させ、幅広の下側部分には隙間を設けている。部材８ｄ，８ｅの切断線Ｌｃ側の辺の全ての部分を接触させてもよい。
【００１８】
図６（Ａ）に示す部材８ａ，８ｂ，８ｃからなる下側層の部材に例えば接着剤を塗布して図６（Ｂ）に示す部材８ｄ，８ｅからなる上側層の部材を載せ、下側層の部材と上側層の部材とを一体化すると、図６（Ｃ）に示すような響板８となる。上側層の部材は下側層の部材よりも長さが短いことが好ましい。下側層の部材上の上側層の部材の長さ方向の位置は図６（Ｃ）に示す位置に限定されるものではない。但し、下側層の部材の長さ方向の両端部を空けた状態で上側層の部材を載せることが好ましい。
【００１９】
図１より分かるように、響板８は、図６（Ｃ）の下側をスピーカ１００の前面側（バッフル５側）に、図６（Ｃ）の上側をスピーカ１００の後面側（後板４側）に向けた状態で底板２に装着される。部材８ａを底板２の幅方向の略中央に配置することが好ましい。部材８ａの繊維方向Ｄｆ8aは側板１と略平行方向であり、バッフル５の面と略直交する方向である。即ち、部材８ａの繊維方向Ｄｆ8aは振動板７ａの振動方向と略平行である。部材８ｂの繊維方向Ｄｆ8bは、スピーカ１００の後面側から前面側に向かうに従って図１手前側の側板１に近付く方向であり、部材８ｃの繊維方向Ｄｆ8cはスピーカ１００の後面側から前面側に向かうに従って図１奥側の側板１に近付く方向である。即ち、繊維方向Ｄｆ8b，Ｄｆ8cはスピーカ１００の後面側から前面側に向かって底板２の幅方向の外側に広がっている。
【００２０】
部材８ｄ，８ｅも同様であり、繊維方向Ｄｆ8dは、スピーカ１００の後面側から前面側に向かうに従って図１手前側の側板１に近付く方向であり、繊維方向Ｄｆ8eはスピーカ１００の後面側から前面側に向かうに従って図１奥側の側板１に近付く方向である。即ち、繊維方向Ｄｆ8d，Ｄｆ8eはスピーカ１００の後面側から前面側に向かって底板２の幅方向の外側に広がっている。
【００２１】
図６（Ｃ）に示す響板８は好ましい構成例であるが、響板８の構成はこれに限定されるものではない。振動板７ａの振動方向と略平行の繊維方向Ｄｆ8aを有する部材８ａを幅方向の略中央に設け、部材８ｂ，８ｃが部材８ａを挟むように設けることが好ましいが、これに限定されるものではない。響板８は、振動板７ａの振動方向と略平行の繊維方向を有する部分と、スピーカ１００の後面側から前面側に向かって外側に広がる繊維方向を有する部分とを有すればよい。
【００２２】
本実施形態のスピーカ１００においては、エンクロージャ６が以上説明した響板８を備える構成であるので、聴感上、低音の重心が下がり、低音の解像度が向上し、中音域で音場が上下左右に広がって豊かな音場の音楽再生が可能となる。
【００２３】
本発明は以上説明した実施形態に限定されることはなく、スピーカ１００の後面側から前面側に向かって外側に広がる繊維方向を有する部分のみとしてもよい。図７（Ａ），（Ｂ）は他の実施形態を示す平面図である。図７（Ａ）は部材８ａ〜８ｅを有する響板８の代わりに、部材８ｂまたは８ｃのみを響板として底板２上に装着したものである。図７（Ａ）において、スピーカ１００Ｌは左用のスピーカであり、スピーカ１００Ｒは右用のスピーカである。スピーカ１００Ｌ，１００Ｒの底板２上に部材８ｂ，８ｃを図７（Ａ）に示すように装着することによって、繊維方向を後面側から前面側に向かって外側に広げた状態とすることができる。このようにすれば、音場を外側に広げることができる。
【００２４】
図７（Ｂ）は、図７（Ａ）に示す部材８ｂ，８ｃに、振動板７ａの振動方向と略平行の繊維方向Ｄｆ8aを有する部材８ａを追加したものである。部材８ａを底板２上に装着することによって、音が振動板７ａの振動方向、即ち、スピーカ１００Ｌ，１００Ｒの正面方向に伝わりやすくなる。従って、図７（Ｂ）に示す構成においては、スピーカ１００Ｌ，１００Ｒの正面に位置する聴取者に音が向かうと共に、外側に広がった音場を得ることが可能となる。
【００２５】
以上の説明では、響板８や響板としての部材８ａ，８ｂ，８ｃを底板２上に装着する例を示したが、天板３の内面に装着することも可能である。響板８や部材８ａ，８ｂ，８ｃを天板３の内面に装着しても音場を広げるという効果を奏することができる。但し、響板８や部材８ａ，８ｂ，８ｃを天板３の内面に装着した場合には、低音の重心を下げるとか、低音の解像度を向上させるという効果はさほど得られないので、底板２上に装着することが好ましい。
【００２６】
さらに、図８〜図１４を用いて、響板８を備えた本実施形態のスピーカ１００による効果を、音響シミュレーションモデルを用いて測定したデータに基づいて説明する。図８は、振動板７ａが振動することによってエンクロージャ６が振動した場合のエンクロージャ６のみの音圧等を計算する音響シミュレーションモデルを示している。振動板７ａの中心から半径０．２５ｍのメッシュ状の半球体５０を設定している。エンクロージャ６の各面もメッシュ状に区画している。半球体５０の各区画は極力完全に近い半球を表すため四角形と三角形とが混在している。一例として、図示していないスピーカユニット７のボイスコイルに１．４×１０5Ｎの力を与えて振動板７ａを振動させたときの、エンクロージャ６のみの音圧等の解析結果について説明する。
【００２７】
まず、図９は響板８を備えていない比較例のスピーカの周波数２５０Ｈｚにおける解析結果である。図９（Ａ）は半球体５０の各区画の法線方向の音圧レベルを示し、図９（Ｂ）はエンクロージャ６のそれぞれの面の各区画の法線方向の粒子速度振幅を示し、図９（Ｃ）はエンクロージャ６のそれぞれの面の各区画の法線方向の音圧振幅を示している。図１０は響板８を備える本実施形態のスピーカ１００の周波数２５０Ｈｚにおける解析結果である。図１０（Ａ）は半球体５０の各区画の法線方向の音圧レベルを示し、図１０（Ｂ）はエンクロージャ６のそれぞれの面の各区画の法線方向の粒子速度振幅を示し、図１０（Ｃ）はエンクロージャ６のそれぞれの面の各区画の法線方向の音圧振幅を示している。
【００２８】
図９（Ａ）と図１０（Ａ）とを比較すると、図９（Ａ）では半球体５０の例えば５０１にて示す中央部で音圧レベルが−４．８［ｄＢ］程度であるのに対し、図１０（Ａ）では５０２にて示す中央部で黒色の濃度が濃いことから分かるように音圧レベルが−４．８ｄＢよりはるかに大きくなっている。図９（Ｂ）と図１０（Ｂ）とを比較すると、図９（Ｂ）ではエンクロージャ６の例えば６０１にて示す部分（バッフル５のスピーカユニット７より上方部分）で粒子速度振幅が１．５×１０-8［ｍ／ｓ］程度であるのに対し、図１０（Ｂ）では６０１と同等の部分である６０２にて示す部分で黒色の濃度が濃いことから分かるように粒子速度振幅が１．５×１０-8［ｍ／ｓ］よりはるかに大きくなっている。
【００２９】
図９（Ｃ）と図１０（Ｃ）とを比較すると、図９（Ｃ）ではエンクロージャ６の例えば６０３，６０４にて示す部分（バッフル５のスピーカユニット７より下方部分及び上方部分）で音圧振幅が８．５×１０-7［Ｐａ］程度であるのに対し、図１０（Ｃ）では６０３，６０４と同等の部分である６０５，６０６にて示す部分で黒色の濃度が濃いことから分かるように音圧振幅が８．５×１０-7［Ｐａ］よりはるかに大きくなっている。
【００３０】
図１１は響板８を備えていない比較例のスピーカの周波数９５０Ｈｚにおける解析結果である。図１２は響板８を備える本実施形態のスピーカ１００の周波数９５０Ｈｚにおける解析結果である。図１１（Ａ）〜（Ｃ）及び図１２（Ａ）〜（Ｃ）は図９（Ａ）〜（Ｃ）及び図１０（Ａ）〜（Ｃ）と同様、半球体５０の音圧レベル、エンクロージャ６の粒子速度振幅、エンクロージャ６の音圧振幅を示している。
【００３１】
図１１（Ａ）と図１２（Ａ）とを比較すると、図１１（Ａ）では半球体５０の例えば５０３，５０４にて示す端部で音圧レベルが−７．２［ｄＢ］程度であるのに対し、図１２（Ａ）では５０５，５０６にて示す端部で黒色の濃度が濃いことから分かるように音圧レベルが−７．２ｄＢよりはるかに大きくなっている。なお、５０５，５０６にて示す端部の音圧レベルは−６．５［ｄＢ］より大きい。図１１（Ｂ）と図１２（Ｂ）とを比較すると、図１１（Ｂ）ではエンクロージャ６の例えば６０７，６０８にて示す部分（天板３の両端部）で粒子速度振幅が１．０×１０-18［ｍ／ｓ］程度であるのに対し、図１２（Ｂ）では６０７，６０８と同等の部分である６０９，６１０にて示す部分で黒色の濃度が濃いことから分かるように粒子速度振幅が１．０×１０-18［ｍ／ｓ］よりはるかに大きくなっている。なお、６０９，６１０にて示す部分の粒子速度振幅は３．５×１０-10［ｍ／ｓ］より大きい。
【００３２】
図１１（Ｃ）と図１２（Ｃ）とを比較すると、図１１（Ｃ）ではエンクロージャ６の例えば６１１，６１２にて示す部分（天板３の両端部）で音圧振幅が２．５×１０-8［Ｐａ］程度であるのに対し、図１２（Ｃ）では６１１，６１２と同等の部分である６１３，６１４にて示す部分で黒色の濃度が濃いことから分かるように音圧振幅が２．５×１０-8［Ｐａ］よりはるかに大きくなっている。なお、６１３，６１４にて示す部分の音圧振幅は７．０×１０-8［Ｐａ］より大きい。
【００３３】
図１３は響板８を備えていない比較例のスピーカの周波数２５００Ｈｚにおける解析結果である。図１４は響板８を備える本実施形態のスピーカ１００の周波数２５００Ｈｚにおける解析結果である。図１３（Ａ）〜（Ｃ）及び図１４（Ａ）〜（Ｃ）は図９（Ａ）〜（Ｃ）及び図１０（Ａ）〜（Ｃ）と同様、半球体５０の音圧レベル、エンクロージャ６の粒子速度振幅、エンクロージャ６の音圧振幅を示している。
【００３４】
図１３（Ａ）と図１４（Ａ）とを比較すると、図１３（Ａ）では半球体５０の例えば５０７で示す部分で音圧レベルが−６．０［ｄＢ］程度であり、５０８で示すわずかな部分で音圧レベルが−６．０［ｄＢ］を超えているに対し、図１４（Ａ）では５０９にて示す半球体５０の大方の部分で黒色の濃度が濃いことから分かるように音圧レベルが−６．０ｄＢよりはるかに大きくなっている。図１３（Ｂ）と図１４（Ｂ）とを比較すると、図１３（Ｂ）ではエンクロージャ６の例えば６１５にて示す部分（バッフル５のスピーカユニット７より下方部分）と６１６にて示す部分（天板３の端部）で粒子速度振幅が３．０×１０-10［ｍ／ｓ］程度であるのに対し、図１４（Ｂ）では６１５，６１６と同等の部分である６１７，６１８にて示す部分で黒色の濃度が濃いことから分かるように粒子速度振幅が５．５×１０-10［ｍ／ｓ］よりはるかに大きくなっている。
【００３５】
図１３（Ｃ）と図１４（Ｃ）とを比較すると、図１３（Ｃ）ではエンクロージャ６の例えば６１９にて示す部分（バッフル５のスピーカユニット７より下方部分）と６２０にて示す部分（天板３の端部）で音圧振幅が１．２×１０-7［Ｐａ］程度であるのに対し、図１４（Ｃ）では６１９，６２０と同等の部分である６２１，６２２にて示す部分で黒色の濃度が濃いことから分かるように音圧振幅が２．０×１０-7［Ｐａ］よりはるかに大きくなっている。
【００３６】
以上のことは、響板８を備える本実施形態のスピーカ１００は、響板８を備えていない比較例のスピーカよりも、エンクロージャ６が振動することによって発する音が大きくなっていることを示す。なお、音圧レベルと粒子速度振幅と音圧振幅それぞれの数値はシミュレーションの条件が異なれば値が異なることになるので、図９〜図１４で説明した数値は単なる一例である。響板８を備える本実施形態のスピーカ１００によれば、複数の周波数帯域で音圧レベルと粒子速度振幅と音圧振幅が大きくなる。エンクロージャ６が発する音が大きくなることが、低音の重心が下がり、低音の解像度が向上し、中音域で音場が豊かになるという聴感上の効果に寄与する。
【００３７】
本発明の以上説明した本実施形態に限定されるものではなく、本発明の要旨を逸脱しない範囲において種々変更可能である。
【符号の説明】
【００３８】
１  側板
２  底板
３  天板
４  後板
５  バッフル
５ａ  開口部
６  エンクロージャ
７  スピーカユニット
７ａ  振動板
８  響板
８ａ，８ｂ，８ｃ，８ｄ，８ｅ  部材
１０  端子板
１１  ダクト
１００，１００Ｌ，１００Ｒ  スピーカ
【図１】
2010093773.tif 000003
【図２】
2010093773.tif 000004
【図３】
2010093773.tif 000005
【図４】
2010093773.tif 000006
【図５】
2010093773.tif 000007
【図６】
2010093773.tif 000008
【図７】
2010093773.tif 000009
【図８】
2010093773.tif 000010
【図９】
2010093773.tif 000011
【図１０】
2010093773.tif 000012
【図１１】
2010093773.tif 000013
【図１２】
2010093773.tif 000014
【図１３】
2010093773.tif 000015
【図１４】
2010093773.tif 000016